(57)【要約】【課題】遊技機における所定の入賞条件の達成を決定するため経過を一層趣向性に富んだ態様で遊技者に提示することが可能な遊技機の構成技術を提供する。【解決手段】遊技球の振分けを行う振分け体１７１と、当該振分け体１７１に隣接して配置され、遊技球Ｂが転動可能であるとともに、当該振分け体１７１に対する傾斜状態を変更可能に構成された遊技球転動体１６１とが組み合わされた入賞装置１０５を有する遊技機であって、遊技球転動体１６１の傾斜状態に応じ、遊技球転動体１６１から振分け体１７１への遊技球Ｂの進入位置が変化し、これによって所定の入賞条件が達成されるよう構成されている。【選択図】        図３
2004236834.tif 000002
【特許請求の範囲】
【請求項１】
遊技球の振分けを行う振分け体と、当該振分け体に隣接して配置され、遊技球が転動可能であるとともに、前記振分け体に対する傾斜状態を変更可能に構成された遊技球転動体とが組み合わされた入賞装置を有する遊技機であって、
前記入賞装置においては、
前記遊技球転動体の傾斜状態に応じて、前記遊技球転動体から前記振分け体への遊技球進入位置が変化し、これによって所定の入賞条件が達成されるよう構成されていることを特徴とする遊技機。
【発明の詳細な説明】
【０００１】
【発明の属する技術分野】
本発明は、入賞装置を有する遊技機に関し、詳しくは遊技球による所定の入賞条件の達成を決定するための経過態様に工夫を講じることで遊技の趣向性を向上した遊技機に関する。
【０００２】
【従来の技術】
遊技機の一例として、所定の態様で駆動される入賞装置を有するパチンコ機の構成が特許文献１（特開平４−３３２５７５号公報）に開示されている。この遊技機における入賞装置では、回転体に設けられた特定球受口および普通球受口のうち、特定球受口を通り抜けた遊技球のみが特定通路に移送されて特別入賞の確度を高める遊技態様が構成される。
【０００３】
ところで、上記のように特定の遊技状態を得るべく、遊技球による所定の入賞条件が達成される過程を楽しむことが可能な入賞装置の構成については、如何に遊技者に対する趣向性を訴求するかが重要である。この点、従来の入賞装置における入賞決定経過とは異なる新たな構成態様の開発を追及する要請が高い。
【０００４】
【特許文献１】
特開平４−３３２５７５号公報
【０００５】
【発明が解決しようとする課題】
本発明は、かかる点に鑑みてなされたものであり、遊技機における所定の入賞条件の達成を決定するため経過を一層趣向性に富んだ態様で遊技者に提示することが可能な遊技機の構成技術を提供することを目的とする。
【０００６】
【課題を解決するための手段】
上記課題を達成するため、各請求項記載の発明が構成される。
請求項１に記載の発明によれば、遊技球の振分けを行う振分け体と、当該振分け体に隣接して配置され、遊技球が転動可能であるとともに、前記振分け体に対する傾斜状態を変更可能に構成された遊技球転動体とが組み合わされた入賞装置を有する遊技機が構成される。そして当該入賞装置においては、遊技球転動体の傾斜状態に応じて、遊技球転動体から振分け体への遊技球進入位置が変化し、これによって所定の入賞条件が達成されるよう構成されている。
【０００７】
このように構成することにより、本発明に係る遊技機の遊技者は、遊技球が入賞するか否かにつき、振分け体に対する遊技球転動体からの遊技球の進入動作を目視しつつ楽しむことが可能とされる。しかも、遊技球転動体の傾斜状態に応じて振分け体に対する遊技球の進入位置を変化させることにより、遊技における入賞態様が多様化された構成とされているため、遊技の趣向性を一層向上することが可能となった。
【０００８】
なお遊技球の「振分け」動作に関しては、典型的には、遊技球が一般入賞口および特別入賞口のいずれに入賞するかを振り分ける態様がこれに該当する。また遊技球転動体から振分け体への遊技球の進入位置については、当該遊技球転動体の傾動位置に応じて予め定められた複数の所定位置として構成した態様を採用してもよく、あるいは遊技球転動体の傾動動作に応じてランダムに構成した態様を採用してもよい。
【０００９】
さらに、本発明の趣旨により、下記に述べる各種の態様を構成することが可能である。
（態様１）
「請求項１に記載の遊技機であって、
所定の回転軸回りに回転する回転体として構成された前記振分け体と、当該回転体に隣接して配置され、遊技球を転動可能に保持するとともに、所定の揺動中心回りに揺動可能に構成された遊技球転動体とが組み合わされた入賞装置を有し、
前記入賞装置においては、
前記回転体と遊技球転動体とが所定の第１の組合せ状態となった場合、および前記遊技球転動体が前記揺動中心回りに揺動動作した状態において、前記回転体と遊技球転動体とが所定の第２の組合せ状態となった場合に、遊技球が当該回転体と遊技球転動体との間で移動可能とされ、これによって所定の入賞条件が達成されるよう構成されていることを特徴とする遊技機。
【００１０】
この態様によれば、回転体として規定される振分け体と、遊技球転動体とが組み合わされた入賞装置を有する遊技機が構成される。回転体は、所定の回転軸回りに回転可能に構成される。一方、遊技球転動体は、回転体に隣接して配置され、遊技球を転動可能に保持するとともに、所定の揺動中心回りに揺動可能に構成される。遊技球転動体につき「回転体に隣接」して配置するとは、典型的には、回転体の外周部あるいは内周部に沿って遊技球転動体が配置される態様がこれに該当する。遊技球転動体は、回転体の外周部または内周部の全周に沿って配置してもよく、あるいは回転体の外周部または内周部の一部のみに沿って配置してもよい。
【００１１】
この態様における入賞装置においては、回転体と遊技球転動体とが所定の組合せ状態（第１の組合せ状態）となった場合に、遊技球が回転体と遊技球転動体との間で移動可能とされ、これによって所定の入賞条件が達成される。回転体と遊技球転動体の「組合せ状態」は、回転体と遊技球転動体との間で遊技球が移動するのを許容および規制する各種態様を広く包含するものとする。例えば、回転体の所定箇所に入賞部を形成し、遊技球転動体の所定箇所に遊技球の通過部を形成し、遊技球転動体において遊技球が転動状に保持される一方において、回転体を回転動作させ、かかる双方の部材の相対動作の中で、回転体の入賞部と遊技球転動体の遊技球通過部が合致した場合にのみ遊技球の入賞が許容され、それ以外では遊技球の入賞が規制されるといった構成が可能である。
【００１２】
この態様では、さらに上記第１の組合せ状態のみならず、遊技球転動体がその揺動中心回りに揺動動作した状態において、回転体と遊技球転動体とが所定の第２の組合せ状態となった場合においても、遊技球が回転体と遊技球転動体との間で移動可能とされ、これによって所定の入賞条件が達成されるよう構成されている。例えば遊技球転動体が揺動動作することで、当該遊技球転動体の異なる領域で遊技球が転動状に保持され、上記第１の組合せ状態における遊技球通過部以外の遊技球通過部から回転体側の入賞部に遊技球が移動可能となるように構成した態様が採用可能である。なお、遊技球転動体の揺動中心は、回転体の回転軸状に設けても良く、あるいは他の箇所に設けてもよい。
【００１３】
この態様では、入賞装置における入賞条件の達成に関し、回転体と遊技球転動体との複数の組合せ状態によって実現可能に構成し、入賞のチャンスを増大することで遊技の趣向性を増大するように構成している。しかも、回転体と遊技球転動体の第２の組合せ状態は、遊技球転動体を揺動動作させた上で得られるものであり、遊技球転動体の揺動動作という視覚に訴求させ易い態様で遊技者に入賞条件達成のチャンスが増大したことを提示することが可能とされる。
【００１４】
すなわち遊技者は、回転体と遊技球転動体とが第１の組合せ状態に至り、遊技球が入賞するか否かにつき、遊技球を転動状に保持する遊技球転動体と回転体との組合せを目視しつつ楽しむことが可能となるのみならず、さらに遊技球転動体が揺動動作することで、遊技球転動体における上記第１の組合せ状態に至る場合とは異なる領域で、遊技球が転動状に保持された状態を視認しつつ、回転体と遊技球転動体とが第２の組合せ状態に至ることで遊技球が入賞するか否かにつき、遊技球転動体の動作を目視にて楽しむことも併せて可能になる。この結果、遊技における入賞態様が多様化され、遊技の趣向性を向上することが可能となった。
【００１５】
（態様２）
「態様１に記載の遊技機であって、
所定の入賞条件の達成により、遊技上の特典を遊技者に付与するべく、
所定の回転軸回りに回転可能に構成され、少なくとも一つの遊技球の入賞部を有する回転体と、当該回転体の外周部または内周部に沿って遊技球を転動状に保持可能に配置されるとともに、所定の揺動中心回りに揺動可能に構成された遊技球転動体とが組み合わされた入賞装置を有し、
前記入賞装置においては、
前記遊技球転動体と前記回転体とが所定の傾斜角度を形成しつつ、前記回転体が回転動作し、当該回転体と遊技球転動体とが所定の第１の組合せ状態となった場合、および
前記遊技球転動体が前記揺動中心回りに揺動動作することで、前記回転体と遊技球転動体とが前記傾斜角度と異なる傾斜角度を形成しつつ、前記回転体が回転動作し、当該回転体と遊技球転動体とが所定の第２の組合せ状態となった場合に、前記遊技球転動体において転動状に保持された遊技球が当該遊技球転動体側から前記回転体の入賞部に入賞可能とされ、これによって前記入賞条件が達成されるよう構成されていることを特徴とする遊技機。」
【００１６】
この態様に記載の発明によれば、上記遊技機の入賞装置に関し、所定の入賞条件の達成により、遊技上の特典を遊技者に付与するべく、回転体については、所定の回転軸回りに回転可能に構成され、少なくとも一つの遊技球の入賞部を有するよう構成する。回転体に設けられる入賞部は、入賞条件の達成確率の大小に合わせて適宜設定すればよく、一つないし複数のいずれであってもよい。
【００１７】
一方、遊技球転動体については、回転体の外周部または内周部に沿って遊技球を転動状に保持可能に配置されるとともに、所定の揺動中心回りに揺動可能に構成される。そして当該入賞装置では、回転体と遊技球転動体とが第１および第２の組合せ状態のいずれかとなった場合に、遊技球が遊技球転動体側から回転体の入賞部に入賞可能とされ、これによって所定の入賞条件が達成されるよう構成されている。
【００１８】
第１の組合せ状態は、回転体と遊技球転動体とが所定の傾斜角度を形成しつつ、回転体が回転動作することで得られる。一方、第２の組合せ状態は、遊技球転動体が揺動中心回りに揺動動作することで、回転体と遊技球転動体とが第１の組合せ状態における傾斜角度と異なる傾斜角度を形成しつつ回転体が回転動作することで得られる。
【００１９】
例えば、回転体と遊技球転動体との相対的な傾斜角度を常時には一定とし、その状態で回転体を回転動作させる。この状態においては、遊技球は遊技球転動体において転動状に保持されている。そして回転体の回転動作により、回転体と遊技球転動体が第１の組合せ状態となった場合に入賞条件が達成されるように構成する。
【００２０】
さらに遊技球転動体を揺動中心回りに揺動動作し、回転体と遊技球転動体とが第１の組合せ状態における傾斜角度と異なる傾斜角度を形成するように設定する。この状態においては、遊技球転動体の傾斜角度が変更されることに起因して、遊技球は、遊技球転動体のうち上記第１の組合せ状態とは異なる領域において転動状に保持されることとなる。この状態で回転体を回転動作させることにより、回転体と遊技球転動体が第２の組合せ状態となった場合に入賞条件が達成されるように構成する。このように構成することで、遊技球の入賞条件達成を複数の異なる状態で得ることが可能とされるとともに、回転体と遊技球転動体の組合せ状態を視認しつつ、入賞決定の過程を目視にて楽しむことができるので、遊技の趣向性が一層増大することとなる。
【００２１】
（態様３）
「態様１または２に記載の遊技機であって、
前記遊技球転動体の揺動中心は、前記回転体の回転軸上に設けられることを特徴とする遊技機。」
【００２２】
この態様によれば、遊技球転動体の揺動動作が回転体の回転軸まわりに行なわれるように見えるので、視覚における遊技球転動体と回転体との一体感を高め、入賞装置の視認性および趣向性を向上することが可能とされる。
【００２３】
（態様４）
「態様１から３までのいずれかに記載の遊技機であって、
前記回転体と遊技球転動体との間の傾斜角度は、遊技状態に応じて固定または可変状に設定されることを特徴とする遊技機。」
【００２４】
この態様によれば、上記回転体と遊技球転動体が、第１の組合せ状態のみ実現可能とされるか、あるいは第１および第２の組合せ状態の双方が実現可能とされるかにつき、遊技状態に応じて適宜に変化させることが可能とされる。例えば、通常の遊技状態においては両者の間の傾斜角度を固定状に設定し、ラッキータイムといった特定のチャンス付与時には、傾斜角度を可変状に設定し、入賞条件達成の確率を高めるといった態様が適宜構成可能である。なお、回転体と遊技球転動体の間の傾斜角度を可変とする場合、当該傾斜角度を単に変化させる態様はもちろん、傾斜角度を経時的に段階状に変化させる態様、連続的に変化させる態様、ランダムに変化させる態様等を適宜採用することが可能である。
【００２５】
（態様５）
「態様１から４までのいずれかに記載の遊技機であって、
前記回転体には、当該回転体の周方向に、一般入賞口と特別入賞口が形成されるとともに、当該特別入賞口のみが前記入賞部を構成することを特徴とする遊技機。」
【００２６】
この態様によれば、複数の入賞口の一部のみを所定の入賞条件達成のための特定入賞口に設定し、残りの入賞口については一般の入賞口に設定することにより、入賞条件の達成確率を合理的に設定するとともに、遊技者に付与される遊技上の特典の大小を適宜に振り分けることで遊技の趣向性を増大することに資する。
【００２７】
（態様６）
「態様１から５までのいずれかに記載の遊技機であって、
前記遊技球転動体は、前記回転体の周縁全体に沿って配置されるリング状部材を有し、前記遊技球は当該リング状部材を介して前記回転体の周縁を転動可能に構成されることを特徴とする遊技機。」
【００２８】
この態様によれば、遊技球転動体にリング状部材を用いることにより、遊技球の転動可能領域を回転体の周縁全体に沿って形成することが可能とされ、回転体と遊技球転動体との傾斜角度および傾斜方向に関する設定の自由度を増大することが可能とされる。
【００２９】
（態様７）
「態様６に記載の遊技機であって、
前記リング状部材は、常時には、遊技者に向かうように傾斜して配置されるとともに、その向きが所定の遊技状態に応じて変わるように構成されていることを特徴とする遊技機。」
【００３０】
この態様によれば、常時には、遊技球転動体における遊技球の転動状態、および回転体と遊技球転動体との相対的な位置関係を遊技者が容易に視認することが可能とされる。さらに遊技状態に応じて、傾斜状に配置されたリング状部材の向きを変化させ、これによって遊技球転動体における遊技球の転動領域を適宜変化させ、遊技球入賞の確率を適宜に調整することが可能とされる。
【００３１】
（態様８）
「態様１から７までのいずれかに記載の遊技機であって、
前記入賞条件は、さらに他の入賞部への遊技球入賞の際に、遊技者に所定の遊技特典を付与するための権利を発生させる条件として規定されることを特徴とする遊技機。」
【００３２】
この態様によれば、態様１から７のいずれかに記載の遊技機における入賞条件は、他の入賞部への遊技球入賞の際に、遊技者に所定の遊技特典を付与するための権利を発生させる条件として規定される。いわゆる第３種と称呼される遊技機を例にすれば、本発明における入賞条件を達成することによって、いわゆる大当たり権が発生し、その間に他の入賞部（例えば第３種始動口）への遊技球が入賞することで、所定の特典状態（例えば大当たり状態）が得られるようにする構成が可能とされ、遊技者は趣向性に富んだ入賞装置を通じて更なる遊技上の特典獲得を目指して遊技を楽しむことが可能となる。
【００３３】
（態様９）
「態様１から７までのいずれかに記載の遊技機であって、
前記回転体は、複数の入賞部が形成されたルーレットとして形成されていることを特徴とする遊技機。」
【００３４】
この態様によれば、回転体をルーレットに模すことで、入賞装置を趣向性に富んだ外観デザインとし、遊技者の遊技に対する楽しみを一層増大することに資する。
【００３５】
（態様１０）
「態様１から９までに記載の遊技機であって、
前記遊技球転動体の揺動動作は、前記回転体の回転動作に伴う前記入賞部の相対位置に基づいて駆動制御されることを特徴とする遊技機。」
【００３６】
この態様によれば、回転体が回転動作するに従って時々刻々と移動していく入賞部の相対位置に連動して遊技球転動体を揺動動作することにより、入賞の確率を一層確実に増大して、遊技の趣向性を一層向上するのに資することになる。
【００３７】
【発明の実施の形態】
以下、本発明の実施の形態に係るパチンコ機１０１につき図面を参照しつつ詳細に説明する。このうちパチンコ機１０１の全体構成が図１に示され、当該パチンコ機１０１の電装システム構成が図２に示され、さらにパチンコ機１０１における電動役物装置１０５の詳細な構成が図３以降に示される。なおパチンコ機１０１は、本発明における「遊技機」の一例である。
【００３８】
図１に示すように、本実施の形態に係るパチンコ機１０１の遊技盤１０３の表面に形成された遊技領域１０４には、電動役物装置１０５、始動口１０７、電動役物装置１０５への遊技球入口１０９、第３種始動口１１１、大入賞口１１３が、特に番号を付さない誘導釘、風車、一般入賞口といった周知の要素とともに、それぞれ適所に配置されている。また電動役物装置１０５には、図柄表示装置１５２が配設されている。
【００３９】
図柄表示装置１５２においては、後述する特別入賞口１７３に遊技球が入賞することを条件として、三列の図柄表示部のそれぞれにおいて所定の図柄が変動状に表示されるとともに、各列において停止した図柄の組合せに応じ、いわゆる大当たりを獲得するための権利を発生させる。
【００４０】
本発明の実施の形態に係るパチンコ機１０１は、いわゆる「第３種」と称呼されるタイプに類別される。なお電動役物装置１０５は、本発明における「入賞装置」に対応する。
【００４１】
各始動口１０７には、便宜上特に図示しない始動口センサ（図３において符号１３５で示される）が設定され、当該始動口センサによって始動口１０７に遊技球が入賞したことが検出される。遊技球が各始動口１０７のいずれかに入賞すると、遊技盤１０３の裏面側に配置された賞球装置（図３において符号１３３で示される）から所定数の賞球が払い出される。さらに始動口１０７への入賞に伴い、図２に示す電動役物装置１０５において、開閉羽根１５１が開放動作され、遊技球入口１０９が開放動作される。
【００４２】
遊技球入口１０９から入賞した遊技球が、電動役物装置１０５にて特別入賞した場合には、当該電動役物装置１０５に配設された図柄表示装置１５２において図柄が変動状に表示されるとともに、停止した図柄の組合せに応じて、いわゆる「大当たり移行権」が発生する。当該大当たり移行権の発生中に、第３種始動口１１１に遊技球が入賞した場合には、大当たり状態として大入賞口１１３が開放される。大入賞口１１３の開放は、本実施の形態では、所定時間が経過し、あるいは所定個数の遊技球が入賞するまでを一ラウンドとして、当該ラウンド中継続されることとなる。そしてかかるラウンドが所定回数（例えば１６ラウンド）継続されることとなる。
【００４３】
なお図１では、本実施の形態に係るパチンコ機１０１のうち、遊技盤１０３の表面に形成される遊技領域１０４の構成を示すものであり、当該遊技盤１０３の下方に配置される上皿、下皿、遊技球発射装置等といった周知の要素については、便宜上その説明および図示を省略することとする。
【００４４】
本実施の形態に係るパチンコ機１０１の電装システムが図２に模式的に示される。図２に示すように、本実施の形態に係るパチンコ機１０１は、概略的に見て、
ＡＣ電源に接続された電源装置１２１に中継基板１２３を介して接続されたメイン制御部１２５を主体として構成される。
【００４５】
メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。またメイン制御部１２５には、モータ１３９、表示制御部１３１、音制御部１２９、賞球制御部１２７がそれぞれ接続されている。また賞球制御部１２７には更に賞球の払出を実行する賞球装置１３３が接続されている。
【００４６】
モータ１３９は、メイン制御部１２５内に設けられた出力処理回路（特に図示しない）からの駆動制御信号に基づいて適宜通電駆動されることにより、電動役物装置１０５の開閉羽根１５１（図１参照）の開閉駆動制御、および後述する電動役物装置１０５における遊技球転動体１６１の揺動動作、および回転体１７１の回転駆動の各駆動制御を行う。表示制御部１３１は、メイン制御部１２５内に設けられた通信制御回路からの制御信号に基づいて電動役物装置１０５の図柄表示装置１５２（図１参照）の表示制御を行う。音制御部１２９は、同じくメイン制御部１２５内に設けられた通信制御回路からの制御信号に基づいてスピーカの音声出力を制御する。
【００４７】
賞球制御部１２７は、特に図示しないものの内部にＣＰＵおよび入出力ポート等を備え、電源装置１２１から電源供給を受けて駆動されるとともに、始動口センサ１３５やＶ入賞センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００４８】
電動役物装置１０５は、図１に示すように、遊技球が入賞可能とされた遊技球入口１０９および当該遊技球入口１０９を開閉する開閉羽根１５１を有するととともに、更に図３および図４に示すように、遊技球転動体１６１および回転体１７１を主体として構成される。遊技球転体１６１は、円環形状を有し、その中央領域が中空状に形成されるとともに、その周縁領域には、遊技球Ｂが当該遊技球転動体１６１の周方向に転動することを許容する樋部１６３が形成されてなる。
【００４９】
回転体１７１は、上記遊技球転動体１６１の中空領域に配置され、回転に関しては不動状とされた遊技球転動体１６１の内周部に沿って回転動作可能とされている。回転体１７１の周縁部には、周方向に多数の入賞口が等間隔で配列されている。入賞口のうちの一つは特別入賞口１７３として構成され、他の入賞口は全て一般入賞口１７５として構成される。特別入賞口１７３は、本発明における「入賞部」に対応する要素である。
【００５０】
遊技球転動体１６１の適所には、遊技球の第１誘導路１６５が開口状に形成され、遊技球転動体１６１の樋部１６３を転動する遊技球Ｂが、当該第１誘導路１６５を通じて回転体１７１側に移送可能に構成される。さらに第１誘導路１６５と対向する箇所には、遊技球の第２誘導路１６７が開口状に形成され、遊技球転動体１６１の樋部１６３を転動する遊技球Ｂが、当該第２誘導路１６７を通じて回転体１７１側に移送可能に構成される。
【００５１】
詳細は後述するが、本実施の形態における遊技球転動体１６１は、その上面部の法線が回転体１７１の鉛直方向の回転軸に対して交差状に傾動可能に構成されている。遊技球転動体１６１を傾動動作することにより、樋部１６３を転動する遊技球Ｂにつき、第１誘導路１６５から回転体１７１側に移送し易くなる状態と、第２誘導路１６７から回転体１７１側に移送し易くなる状態との間で切替え可能とされる。
【００５２】
本実施の形態においては、各入賞口１７３，１７５は、交互に赤色・黒色に着色され、これにより回転体１７１はルーレットに模して構成されている。すなわち遊技球転動体１６３側から第１誘導路１６５（ないし第２誘導路１６７）を通じて遊技球Ｂをルーレット状に見立てた回転体１７１に投入して入賞を目指すという遊技感覚を遊技者に与えることが可能とされている。
【００５３】
本実施の形態における遊技機１０１によれば、通常の遊技状態においては、図４に示すように、遊技球転動体１６１の上面の法線（符号ａで示される）と、回転体１７１の回転軸（符号ｂで示される）とが所定の交差角Ｃをなすように、遊技球転動体１６１が回転体１７１に対して傾斜状に配置される。なお図４においては、電動役物装置１０５は、その右側面側に遊技者が位置するように配置される。すなわち遊技球転動体１６１は、通常の遊技状態において、その上面部が遊技者に視認し易いように傾斜状態を維持するように設定される。
【００５４】
この状態における電動役物装置１０５においては、図３に示すように、樋部１６３の最下位領域に遊技球第１誘導路１６５が位置するように構成される。すなわち、図３（および図４）に示す遊技球転動体１６１では、樋部１６３内の遊技球Ｂは、暫時、往復状に転動動作を繰り返した後、最下位領域に収束しつつ、遊技球第１誘導路１６５を通じて回転体１７１側に移動することが許容される。
【００５５】
本実施の形態に係るパチンコ機１０１は上記のように構成される。次に当該パチンコ機１０１の作用について説明する。図１に示すパチンコ機１０１において、特に図示しない発射ハンドル装置を介し、遊技盤１０３表面の遊技領域１０４に射出された遊技球がいずれかの始動口１０７に入賞すると、当該入賞した遊技球が図２に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。
【００５６】
さらにメイン制御部１２５は、モータ１３９に制御信号を出力し、図１に示す電動役物装置１０５の開閉羽根１５１を開放動作させる。開閉羽根１５１が開放動作することで電動役物装置１０５の遊技球入口１０９が開放され、遊技球の入賞が容易な状態が実現される。
【００５７】
開閉羽根１５１が開放動作することで開放された遊技球入口１０９に入賞した遊技球は、図３に示すように、遊技球転動体１６１の樋部１６３に送られる。この時、遊技球転動体１６１は、図４に示すように、その上面部の法線ａが、概ね鉛直方向に延在する回転体１７１の回転軸ｂに対して所定の傾斜角Ｃだけ傾斜状に遊技者側を向くように設定されており、かつ、図３に示すように樋部１６３の最下位領域に遊技球の第１誘導路１６５が位置するように設定されている。従って、樋部１６３に投入された遊技球Ｂは、暫く往復状に転動動作した後、樋部１６３の最下位領域に収束しつつ、第１誘導路１６５を通じて回転体１７５に移送される。
【００５８】
このとき遊技球転動体１６１は、その樋部１６３が遊技者の側に向くように傾動しているため、遊技球Ｂが遊技球転動体１６１において転動動作するとともに、第１誘導路１６５から回転１７１側へと移送されていく状態を、遊技者はその面前で容易に視認することができる。
【００５９】
遊技球転動体１６１から第１誘導路１６５を通じて回転体１７１に送られた遊技球Ｂは、当該回転体１７１に形成された各入賞口１７３，１７５のいずれかに入賞することとなる。本実施の形態では、この遊技球Ｂの各入賞口１７３，１７５への入賞についても、遊技球Ｂの動きが遊技者に容易に視認可能に提示されるよう構成される。
【００６０】
本実施の形態では、遊技球Ｂが特別入賞口１７３に入った場合を特別入賞と規定し、この場合には、図２に示すメイン制御部１２５は、賞球制御部１２７を通じ、賞球装置１３３に所定の個数の入賞球を払い出させるとともに、表示制御部１３１を通じ、図柄表示装置１５２において変動図柄表示を開始する。
【００６１】
なお上述のように、遊技球Ｂは、遊技球転動体１６１の樋部１６３において暫時転動動作するため、どのタイミングで回転体１７１側に移送されるかが直ちに判別し難く、遊技の趣向性が短期に失われないように適宜工夫されている。
【００６２】
一方、遊技球Ｂが、各入賞口のうち、一般入賞口１７５に入った場合を一般入賞と規定し、この場合には、図２に示すメイン制御部１２５は、賞球制御部１２７を通じ、賞球装置１３３に所定の個数の入賞球を払い出させる。一般入賞の場合には、図柄表示装置１５２における図柄の変動表示はなされない。
【００６３】
なお本実施の形態では、回転体１７１に対する遊技球転動体１６１の傾斜角度および回転体１７１の回転速度の双方または一方を適宜設定することにより、回転体１７１における特別入賞の確率を適宜に調整することが可能である。
【００６４】
さて、上記電動役物装置１０５において遊技球Ｂが特別入賞口１７３に入賞すると、図１に示す電動役物装置１０５に配置された図柄表示装置１５２では、特に図示しないものの３列並列状に配設された各図柄が変動表示されるとともに、停止した図柄の組合せに応じて、第３種始動口１１１への遊技球の入賞を条件とする大当たり移行権が遊技者に付与される。すなわち、電動役物装置１０５で特別入賞口１７３に遊技球Ｂが入賞することを条件として、図柄表示装置１５２における図柄の変動表示が始動し、当該図柄表示装置１５２における各停止図柄が所定の組合せ条件を満たした場合には、遊技者に対して大当たり移行権が付与される。
【００６５】
そして、この大当たり移行権が付与されている間に、遊技球Ｂが図１に示す第３種始動口１１１に入賞することにより、大当り状態が確定し、大入賞口１１３が所定期間（本実施の形態では、所定時間が経過し、あるいは所定個数の遊技球が入賞するまで）開放動作するとともに、かかる開放動作が所定ラウンド（本発明の実施の形態では１６ラウンド）繰り返されることとなる。
【００６６】
ところで図３に示す状態では、遊技球転動体１６１の樋部１６３において、転動動作中の遊技球Ｂの収束が遅れてしまい、当該遊技球Ｂが第１誘導路１６５に送られる際に、回転体１７１における特別入賞口１７３が当該第１誘導路１６５に対応する箇所を通り過ぎてしまう場合が生じ得る。遊技球Ｂが第１誘導路１６５に送られる前に、特別入賞口１７３が第１誘導路１６５を通り過ぎてしまった場合、当該遊技球Ｂは一般入賞口１７５への入賞がほぼ確定的になる。従って、遊技球Ｂが樋部１６３において転動動作する際に、回転体１７１の回転動作を観察した遊技者は、特別入賞口１７３の位置関係により、もはや特別入賞の機会を逸したことを比較的早い段階で察知してしまい、遊技の楽しみを早期に喪失してしまう可能性がある。
【００６７】
そこで本実施の形態では、所定の条件下、遊技者に特別入賞の機会を更に得るためのチャンスが付与される。具体的には、特定のチャンスタイム時においては、遊技球転動体１６１の回転体１７１に対する傾斜角度を、図３および図４に示す状態から、図５および図６に示す状態へと変化させる。すなわち、特に図６によく示されるように、回転体１７１の回転軸ｂに対し、遊技球転動体１６１の上面部の法線ａとが符号Ｄで示される傾斜角度となるように、遊技球転動体１６１を回転体１７１に対し揺動動作させる。
【００６８】
この状態では、遊技球転動体１６１の樋部１６３は、その最下位領域が、図３に示す第１誘導路１６５側から、図５に示す第２誘導路１６７側に移行することとなる。従って、遊技球転動体１６１の揺動動作に応じて、樋部１６３に投入された遊技球Ｂは、その最下位領域である第２誘導路１６７近傍において往復状に転動動作するとともに、その転動動作が収束することで、第２誘導路１６７を通じて回転体１７１側に移送されることとなる。
【００６９】
従って、図３に示す通常状態において、遊技球Ｂが遊技球転動体１６１から回転体１７１に送られる際に、当該回転体１７１の特別入賞口１７３が第１誘導路１６５箇所を通り過ぎた場合であっても、ラッキーチャンス時においては、遊技球転動体１６１が揺動動作して図５に示す状態に変化することで、遊技球Ｂは第２誘導路１６７側に転動し、第２誘導路１６７を通じて回転体１７１側に移動可能とされる。
【００７０】
このため、たとえ図３に示す通常状態で特別入賞のチャンスを逸した場合であっても、ラッキーチャンス時においては、上記遊技球転動体１６１の揺動動作により、回転体１７１の回転動作に応じて周回する特別入賞口１７３を追い越す形で、遊技球Ｂが第２誘導路１６７から回転体１７１側に移動することで、さらに特別入賞のチャンスを得ることが可能とされる。
【００７１】
すなわち、回転体１７１が回転動作する間に、遊技球転動体１６１が揺動動作することで、遊技球Ｂが異なる箇所で転動可能となり、それ故に複数の誘導路１６５，１６７を通じて回転体１７１に移送可能となり、特別入賞の確率を増大して遊技の趣向を増すことが可能とされる。
【００７２】
また本実施の形態では、特別入賞の確率を確実に増大することで、遊技の趣向性を確保する見地より、遊技球転動体１６１の揺動動作は、回転体１７１における特別入賞口１７３の位置に基づいて適宜に制御される。具体的には、チャンスタイム時においては、特に図示しない位置検出センサを用いることにより、回転動作中の特別入賞口１７３の相対位置を検出する。そして、当該特別入賞口１７３の相対位置に対し、遊技球転動体１６１の傾動動作が若干先行するように駆動制御される。このため、遊技球Ｂは特別入賞口１７３に先行する形で、上記第２誘導路１６７側に移動して転動動作するため、第２誘導路１６７を通じて特別入賞口１７３に入賞する確率を大幅に増大することが可能に構成される。
【００７３】
なお、特別入賞の確率については、回転体１７１の回転速度、遊技球転動体１６１の揺動速度、揺動角度の全部または一部を適宜設定することで、合理的に調整することが可能である。また、各パラメータを連続状に可変とすることで、遊技球転動体１６１が連続状に揺動動作したり、あるいは揺動速度が随時に変化したりするように設定し、遊技者の特別入賞に対する期待を大きくするように構成してもよい。
【００７４】
本実施の形態に係るパチンコ機１０１では、遊技球Ｂが、遊技球転動体１６１から回転体１７１へと第１の誘導路１６５を通じて移送されるのみならず、遊技球転動体１６１を揺動動作させることで、第２の誘導路１６７を通じて移送可能に構成する。これによって、遊技球転動体１６１によって回転体１７１に関する振り分け機能が付与された電動役物装置１０５に関し、いわゆるリプレイ機能が付加された遊技態様が新たに提供され、この結果、遊技における入賞態様が多様化され、遊技の趣向性を向上することが可能となった。
【００７５】
なお本実施の形態では、遊技球Ｂを遊技球転動体１６１側から回転体１７１側へと移送するのに二つの誘導路１６５，１６７を用いる形態を採用したが、これを更に増設してもよい。
【００７６】
あるいは回転体１７１側の遊技球の各入賞口の前にゲートを多数設け、回転体１７１の回転速度が比較的大きい場合には、遊技球が遊技球転動体１６１側から当該ゲートを通って回転体１７１側に移動しにくくし、回転体１７１の回転速度が低下した場合には、遊技球が当該ゲートを通って回転体１７１のいずれかの入賞口に入賞するように構成した態様を採用してもよい。
【００７７】
すなわち、
「前記回転体には、当該回転体に設けられた入賞部に対し、前記遊技球転動体から遊技球が入賞可能なゲートが設けられ、
当該ゲートは、前記回転体の回転速度が減少した場合に、前記遊技球が前記前記遊技球転動体から前記入賞部に入賞するのを許容するよう構成されていることを特徴とする遊技機。」という構成である。
【００７８】
このように構成すれば、回転体の回転速度に応じて入賞の可否が適宜決定され、入賞の過程を目視で楽しむことが可能な遊技態様が得られることとなる。
【００７９】
さらには、例えば遊技球転動体１６１の内周壁を除去あるいは大幅に低くする等することにより、遊技球転動体１６１と回転体１７１との境界領域では、どの位置からでも遊技球が遊技球転動体１６１側から回転体１７１側へと移動可能に構成し、遊技球転動体１６１の樋部１６３における遊技球の転動速度が低下した場合（ないし停止した場合）に、当該遊技球が任意の収束終了箇所から回転体１７１側に移動するように構成した態様を採用してもよい。
【００８０】
すなわち、
「前記回転体と前記遊技球転動体との間では、任意の位置において前記遊技球が前記回転体側から前記遊技球転動体側へと移動可能とされ、
これによって前記遊技球転動体における前記遊技球の転動動作が収束する場合に、当該遊技球は、その転動動作の収束領域において前記遊技球転動体から前記回転体へと移動可能に構成されていることを特徴とする遊技機。」という構成である。
【００８１】
このように構成すれば、回転体の転動動作が収束する箇所から遊技球が回転体側へと移動可能とされるため、入賞の可否のタイミングが遊技者に直ちには把握しにくく構成され、飽きのきにくい遊技態様を提供することが可能とされることとなる。
【００８２】
【発明の効果】
本発明によれば、遊技機における所定の入賞条件の達成を決定するため経過を一層趣向性に富んだ態様で遊技者に提示することが可能な遊技機の構成技術が提供されることとなった。
【図面の簡単な説明】
【図１】本発明の実施の形態である遊技機における遊技盤の主要部の構成を正面視にて示す。
【図２】本発明の実施の形態に係る遊技機のシステム構成を示すシステムブロック図である。
【図３】本実施の形態における電動役物装置の主要部の構成を斜視図として示す。
【図４】図３に示す電動役物装置を模式的に正面図として示す。
【図５】図３に示す電動役物装置につき、遊技球転動体１６１が揺動した状態を斜視図として示す。
【図６】図５に示す電動役役物装置を模式的に正面図として示す。
【符号の説明】
１０１  パチンコ機
１０２  遊技球
１０３  遊技盤
１０４  遊技領域
１０５  電動役物装置
１０７  始動口
１０９  遊技球入口
１１１  第３種始動口
１１３  大入賞口
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  モータ
１４１  ホールコンピュータ
１５１  開閉羽根
１５２  図柄表示装置
１６１  遊技球転動体
１６３  樋部
１６５  遊技球第１誘導路
１６７  遊技球第２誘導路
１７１  回転体
１７３  特別入賞口（入賞部）
１７５  一般入賞口
１７７  隔壁
【図１】
2004236834.tif 000003
【図２】
2004236834.tif 000004
【図３】
2004236834.tif 000005
【図４】
2004236834.tif 000006
【図５】
2004236834.tif 000007
【図６】
2004236834.tif 000008